(57)【要約】【課題】窓シャッターのシャッターケース、とりわけ軒天ケースの取り付けの施工性及び取付精度を向上させる。【解決手段】シャッターケース７は、正面部と、左右の側面部と、を備え、左右のブラケット３には係止突起３５がそれぞれ形成されており、シャッターケース７の前記左右の側面部には、左右のブラケット３に形成された被係止部３５に係止する係止孔８６がそれぞれ形成されており、シャッターケース７は、前記左右の側面部を左右のブラケット３にそれぞれ係止させた状態で位置決め・仮固定されて、螺子Ｓ３によって外壁Ｗに取り付けられている。【選択図】図９
2015108224.tif 000002
【特許請求の範囲】
【請求項１】
窓開口部の幅方向両端の上方に位置して設けた左右のブラケット及び当該左右のブラケット間に支持された巻取シャフトを囲むように外壁に取り付けられるシャッターケースの取付構造であって、
前記シャッターケースは、正面部と、左右の側面部と、を備え、
前記左右のブラケットには被係止部がそれぞれ形成されており、
前記シャッターケースの前記左右の側面部には、前記左右のブラケットに形成された被係止部に係止する係止部がそれぞれ形成されており、
前記シャッターケースは、前記左右の側面部を前記左右のブラケットにそれぞれ係止させた状態で位置決め・仮固定されて、固定手段によって外壁に取り付けられている、
窓シャッターのシャッターケースの取付構造。
【請求項２】
前記シャッターケースは、前記左右の側面部を前記左右のブラケットにそれぞれ係止させ、前記左右の側面部の下端をガイドレール下地枠の上端に載せた状態で位置決め・仮固定されている、請求項１に記載の窓シャッターのシャッターケースの取付構造。
【請求項３】
前記被係止部は前記ブラケットの上側かつ後側の部位に形成されており、前記係止部は前記シャッターケースの上側かつ後側の部位に形成されている、請求項１、２いずれか１項に記載の窓シャッターのシャッターケースの取付構造。
【請求項４】
前記被係止部は、ブラケットの側面部の外面の上側部位に形成された係止突起であり、
前記係止部は、シャッターケースの側面部の上片に形成された係止孔であり、
係止状態において、前記係止突起の部分が前記係止孔の部分に接触することで、シャッターケースの先端側の下方への回動が規制されている、
請求項１〜３いずれか１項に記載の窓シャッターのシャッターケースの取付構造。
【請求項５】
前記シャッターケースの上方は開口状であり、
前記シャッターケースの正面部の高さ内に天井材が位置しており、
前記シャッターケースの上方部位は、軒裏天井内に位置している、
請求項１〜４いずれか１項に記載の窓シャッターのシャッターケースの取付構造。
【請求項６】
前記シャッターケースの外壁からの突出寸法は、前記ブラケットの外壁からの突出寸法よりも大きく、ブラケットの先端を越えて延びるシャッターケースの先端側部位の下面には着脱可能ないし回動可能な下面板が設けてある、
請求項５に記載の窓シャッターのシャッターケースの取付構造。
【発明の詳細な説明】
【技術分野】
【０００１】
本発明は、窓シャッターのシャッターケースの取付構造に係り、後述する実施形態では、窓シャッターの軒天ケースの取付構造について開示する。
【背景技術】
【０００２】
窓開口部の屋外側に窓シャッターを取り付ける場合には、窓開口部の幅方向両端にガイドレール下地枠及びガイドレールが取り付けられ、窓開口部の幅方向両端の上方に位置して、外壁に対して持ち出し状の左右のブラケットが取り付けられ、左右のブラケット間に巻取シャフトを支持し、巻取シャフトにシャッターカーテンの上端を連結する。そして、窓シャッターのシャッターケースが、左右のブラケット及び巻取シャフトを覆うようにして、窓開口部の屋外側の上方に取り付けられる。
【０００３】
窓開口部の上方に軒を備えている場合には、シャッターケースとしていわゆる軒天ケースが取り付けられる。従来の軒天ケースは、板状の上面、前面、両側面、下面を備え、後面が開放状のボックスからなり、両側面の後端には取付用の後片が折り曲げ形成されている。ボックス状の軒天ケースは、左右のブラケット及び巻取シャフトを覆うように被せられて、軒裏天井内に配置される。軒天ケースは建物躯体からの突出寸法を通常のシャッターケースに比べて大きく形成すると共に、軒天ケースの先端側の下面を取り外し可能とすることによって、窓シャッターのメンテナンスを行うようにしている。
【０００４】
軒天ケースの取り付けに際しては、軒天ケースの両側面の後方側下端を窓シャッターのガイドレール下地枠の上端に載せて、後片を建物躯体の外壁に押し当ててビスで固定するが、一人で軒天ケースを押さえながらビス止めすることは難しい作業であり、施工性が悪いものとなっていた。しかも、軒天ケースは建物躯体からの突出寸法が大きいため、ガイドレール下地枠との当接部位を基点として軒天ケースの先端側が下方に回動し易くなっており、このことが、さらに施工性を悪くしている。
【０００５】
また、軒天ケースの両側面の後方側下端を窓シャッターのガイドレール下地枠の上端に載せて軒天ケースを押さえながらの作業では、軒天ケースの左右方向の取付位置を精度よく決定して躯体に取り付けることは困難であった。
【０００６】
特許文献１には、上面を軒天井裏面に突出させて取り付けられており、下カバー部が取り外し可能なシャッターボックスが開示されているが、シャッターボックスの大部分及び巻取シャフトは軒天井よりも下方に位置している。また、特許文献１には、シャッターボックスの取り付けの施工性や取付精度を向上させるという観点は無い。
【特許文献１】特許第３０４５４８２号
【発明の開示】
【発明が解決しようとする課題】
【０００７】
本発明は、窓シャッターのシャッターケース、とりわけ軒天ケースの取り付けの施工性及び取付精度を向上させることができるシャッターケースの取付構造を提供することを目的とする。
【課題を解決するための手段】
【０００８】
本発明が採用した技術手段は、
窓開口部の幅方向両端の上方に位置して設けた左右のブラケット及び当該左右のブラケット間に支持された巻取シャフトを囲むように外壁に取り付けられるシャッターケースの取付構造であって、
前記シャッターケースは、正面部と、左右の側面部と、を備え、
前記左右のブラケットには被係止部がそれぞれ形成されており、
前記シャッターケースの前記左右の側面部には、前記左右のブラケットに形成された被係止部に係止する係止部がそれぞれ形成されており、
前記シャッターケースは、前記左右の側面部を前記左右のブラケットにそれぞれ係止させた状態で位置決め・仮固定されて、固定手段によって外壁に取り付けられている、
窓シャッターのシャッターケースの取付構造、である。
シャッターケースの前記係止部がブラケットの前記被係止部に係止した位置決め・仮固定状態では、当該シャッターケースの先端側の下方への回動が規制されるように構成されている。
１つの態様では、前記固定手段は螺子であり、前記左右の側面部の後端にはそれぞれ後片が形成されており、後片を外壁に当接させて当該後片を外壁に螺子で固定する。
【０００９】
１つの態様では、前記シャッターケースは、前記左右の側面部を前記左右のブラケットにそれぞれ係止させ、前記左右の側面部の下端をガイドレール下地枠の上端に載せた状態で位置決め・仮固定されている。
【００１０】
１つの態様では、前記被係止部は前記ブラケットの上側かつ後側の部位に形成されており、前記係止部は前記シャッターケースの上側かつ後側の部位に形成されている。
１つの態様では、
前記被係止部は、前記ブラケットの側面部の外側面の上側部位に形成された係止突起であり、
前記係止部は、前記シャッターケースの前記側面部の上片に形成された係止孔であり、
前記係止突起と前記係止孔の係止状態において、前記係止突起の部分が前記係止孔の部分に接触することで、シャッターケースの先端側の下方への回動が規制されている。
好ましくは、前記係止突起及び前記係止孔は後端側に形成されている。
後述する実施形態では、係止突起は、ブラケット側面部から外側に向かって水平に突出する水平片と、水平片の先端から垂直状に立ち上がる垂直片と、からなり、前記係止孔は、長方形状の角孔である。
本発明において、被係止部と係止部の具体的な組み合わせは上記のものに限定されない。例えば、前記被係止部が前記ブラケットの上片に形成した係止孔であり、前記係止部が前記シャッターケースの前記側面部に形成された下向きの係止突起であってもよい。あるいは、前記ブラケットの側面部の後端に後片（被係止部を備える）を形成し、前記シャッターケースの側面部の後端に形成した後片（係止部を備える）を係止するようにしてもよい。
【００１１】
１つの態様では、前記シャッターケースの上方は開口状であり、
前記シャッターケースの正面部の高さ内に天井材が位置しており、
前記シャッターケースの上方部位は、軒裏天井内に位置している。
この態様では、シャッターケースは上面板を備えていないので、材料費、すなわちコストを削減することができる。
１つの態様では、前記ブラケットの上端は、前記シャッターケースの上端よりも上方に突出している。
１つの態様では、前記シャッターケースの正面部は、前記シャッターケースの側面部の後方部位に比べて低背である。
１つの態様では、シャッターケースの突出寸法は、ブラケットの突出寸法よりも大きく、ブラケットの先端を越えて延びるシャッターケースの先端側部位の下面には着脱可能ないし回動可能な下面板が設けてある。窓シャッターの開閉機や巻取シャフトはブラケットに支持されており、前記下面板を取り外しないし回動させることで、シャッターケースの先端側部位の下面の開口からメンテナンスを行うことが可能となる。
１つの態様では、前記シャッターケースの先端側部位に対応する側面部の上縁は先端側へ向かって下向き傾斜縁（直線、湾曲線を含む）となっている。
より具体的な態様では、前記シャッターケースの側面部の上縁は、後側半部の第１上縁と、第１上縁の前端と正面板の幅方向両端部とを接続する傾斜状の第２上縁（シャッターケースの先端側部位に対応）と、を備えており、第１上縁の高さは、ブラケットの上縁の高さよりも低く、正面板の上端の高さは、第１上縁の高さよりも低い。
【発明の効果】
【００１２】
本発明では、シャッターケースの左右の側面部を左右のブラケットにそれぞれ係止させて係止状態を得ると同時に左右方向の取付位置が決まり、また、上記係止状態では、シャッターケースの先端側の下方への回動が規制されるため、係止状態によってシャッターケースの位置決め・仮固定状態が得られ、シャッターケースの取り付けの施工性及び取付精度を向上させることができる。
【００１３】
上記位置決め・仮固定作業は、シャッターケースの左右の側面部を左右のブラケットにそれぞれ係止させることで行われるので、一人の作業者で行うことができる。そして、位置決め・仮固定されたシャッターケースの外壁への取り付けも一人の作業者で行うことができる。
【図面の簡単な説明】
【００１４】
【図１】軒天ケースが取り付けられた窓シャッター装置の縦断面図である。
【図２】軒天ケースが取り付けられた窓シャッター装置の端部の横断面図である。
【図３】上図は軒天ケース組立体の平面図、下図は軒天ケース組立体の正面図である。
【図４】上図は軒天ケース組立体の底面図、下図は軒天ケース組立体の縦断面図である。
【図５】軒天ケース組立体の側面部を示す部品図である。
【図６】軒天ケース組立体の左右の側面部を横材で連結した状態を示す図である。
【図７】軒天ケース組立体の正面部を示す部品図である。
【図８】軒天ケース組立体の下面部を示す部品図である。
【図９】軒天ケースの取り付けを説明する図である。
【図１０】軒天ケースが取付状態を示す図である。
【図１１】軒天ケースの取り付けを説明する図である。
【図１２】軒天ケース組立体の側面部の他の形状を示す図である。
【発明を実施するための形態】
【００１５】
本発明の実施形態を図面に基づいて詳細に説明する。図１に示すように、建物躯体には窓開口部が形成されており、窓開口部には窓装置１が設置されている。窓開口部上方の躯体には軒２が設けてある。軒２は、外壁Ｗから離間する方向に下向き傾斜状に延びている。軒２の下面２０も外壁Ｗから離間する方向に下向き傾斜状に延びており、下面２０の先端側には横材２１が設けてあり、横材２１に天井材Ｃの端部が支持されている。軒２の下面２０と窓開口部の上側の外壁Ｗとで形成される側面視三角形状の空間が軒裏天井、すなわち軒天となっている。
【００１６】
窓装置１の室外側には窓シャッター装置が設けてあり、窓開口部の室外側部位を窓シャッターによって開閉するようになっている。窓シャッター装置は、窓開口部の幅方向両端の上方にそれぞれ位置して、外壁Ｗ（軒裏天井に対応する部分）から持ち出し状に取り付けられた左右のブラケット３と、窓開口部の幅方向両側に位置して窓装置１のサッシ枠あるいは躯体に対して持ち出し状に取り付けられたガイドレール下地枠４０と、ガイドレール下地枠４０の先端に取り付けられた左右のガイドレール４と、左右のブラケット３によって両端が支持された巻取シャフト５と、上端が巻取シャフト５に連結されており、巻取シャフト５に巻き取られ／繰り出されることで、幅方向両端部がガイドレール４のガイド溝に案内されながら昇降して窓開口部の室外側部位を開閉するシャッターカーテン６（図１では巻取シャフト５に巻き取られた状態を示す）と、窓開口部の下方に位置して、持ち出し状に取り付けられた下枠（水切板）４１と、を備えている。一方のブラケット３には開閉機Ｍの取付台が形成されており、開閉機Ｍによって巻取シャフト５を回転駆動させることで、シャッターカーテン６は巻取シャフト５に巻き取られ、あるいは巻取シャフト５から繰り出されるようになっている。
【００１７】
ブラケット３は、外壁Ｗに対して持ち出し状（直角）に延びる垂直状の面部３０を有し、巻取シャフト５の長さ方向の一方の端部は左側のブラケット３の面部３０に支持され、他方の端部は右側のブラケット３の面部３０に支持されている。面部３０は略方形状の形状を備えており、上縁、前縁、下縁、後縁には面部３０に対して垂直状に折り曲げ形成された折曲片が適宜形成されている。図９では、後片３１、上片３２、複数の前片３３を示す。後片３１は面部３０の外側に折り曲げられているのに対して、上片３２、前片３３は面部３０の内側に折り曲げられている。左右のブラケット３間には、水平状に延びる複数本の長尺材（ケースアングル材）３４が架け渡してある。
【００１８】
ブラケット３は、面部３０の後縁に形成された後片３１を介して、躯体の外壁Ｗに取り付けられている。図示の態様では、後片３１には、上側が小径で下側が大径の係止孔３１０が形成されており、外壁Ｗの所定部位に予め取り付けられた引掛け螺子Ｓ１に対して係止孔３１０を係止させて仮止めして、複数本の螺子Ｓ２で後片３１を外壁Ｗに固定している。なお、引掛け螺子Ｓ１に代えて、外壁Ｗに引掛け金具を取り付けておき、当該引掛け金具に対してブラケット３を取り付けるようにしてもよい。
【００１９】
ブラケット３の面部３０の外側面には、上側かつ後側に位置して係止突起３５が形成されている。係止突起３５は、面部３０の外側面から外側に向かって水平状に延びる水平片と、水平片の先端から垂直に立ち上がる垂直片３５０（図１０に示す）と、からなる。
【００２０】
図１に示すように、左右のブラケット３及びブラケット３間に支持され、シャッターカーテン６が巻取収納される巻取シャフト５は、軒２の下面２０と窓開口部の上側の外壁Ｗとで形成される軒裏天井に配置されており、巻取シャフト５、開閉機Ｍの高さ位置は、天井材Ｃの高さ位置よりも上方となっている。左右のブラケット３、巻取シャフト５、巻取シャフト５に巻装されるシャッターカーテン６の収納空間、開閉機Ｍを含む空間の大部分は軒２の下方の軒裏天井内に位置しており、当該空間を囲むようにシャッターケース７が取り付けられていることから、本明細書において、前記シャッターケース７を軒天ケースと呼ぶことにする。
【００２１】
図３、図４、図９に示すように、軒天ケース７は、左右の側面板（軒天ブラケット）８と、左右の側面板８の先端側を接続するように延びる正面板９と、左右の側面板８の先端側半部の下面間に架け渡すように設けられた下面板１０と、からなり、上側は開放状となっている。図１に示すように、外壁Ｗに対する軒天ケース７の突出寸法は、外壁Ｗに対するブラケット３の突出寸法よりも大きい。また、軒天ケース７の左右の側面板８の内側面間の寸法は、左右のブラケット３の外側面間の寸法よりも少し大きい寸法となっている。軒天ケース７は、左右のブラケット３及び当該左右のブラケット３間に支持された巻取シャフト５を囲むように外壁Ｗに取り付けられる。軒天ケース７の側面板８の高さは、ブラケット３の高さよりも低く、ブラケット３の上端は、軒天ケース７（側面板８）の上端よりも上方に突出している。また、図１に示す態様では、天井材Ｃは正面板９の上端の高さに位置しており、軒天ケース７の下面の高さ位置は、天井材Ｃの高さ位置よりも少し低いが、納まりによっては、天井材が正面材９の下端の高さに位置するものでもよい。
【００２２】
図５に示すように、側面板８の面部８０は、水平状の下縁８００と、垂直状の後縁８０１と、後縁８０１よりも低背の垂直状の前縁８０２と、後縁８０１から先端側に水平状に延びる第１上縁８０３と、第１上縁８０３の先端と前縁８０２とを接続するように先端側に向かって下向き傾斜状の第２上縁８０４と、を備えており、下縁８００、後縁８０１、前縁８０２、第１上縁８０３、第２上縁８０４には面部８０に対して垂直状に折り曲げ形成された折曲片からなる下片８１、後片８２、前片８３、第１上片８４、第２上片８５が形成されている。第１上片８４の所定部位には係止孔８６が形成されている。図示の態様では、面部８０の後縁には面部８０に対して垂直状に延びる片８２０、片８２０に対して垂直状に後方に向かって延びる片８２１が形成されており、後片８２は片８２１から延びている。下片８１、前片８３、第１上片８４、第２上片８５が面部８０の内側に向かって折り曲げられているのに対して、後片８２は面部８０の外側に向かって折り曲げられている。
【００２３】
なお、面部８０の上縁の形状は図５に示すもの（水平状の第１上縁８０３＋傾斜状の第２上縁８０４）に限定されず、例えば、図１２に示すような形状であってもよい。図１２上図では、第１上縁８０３の先端と前縁８０２とを接続する縁は、先端側に向かって下向き傾斜状の湾曲縁８０４´となっている。図１２下図では、第１上縁８０３の先端と前縁８０２とを接続する縁は、第１傾斜縁８０４ａと、第２傾斜縁８０４ｂと、から形成されている。
【００２４】
図６に示すように、左右の側面板８には、左右の側面板８間を架け渡すように水平状に延びる複数本の長尺状の横材８７が設けてあり、横材８７の長さ方向の一方の端部が左側の側面板８の内側面に連結され、他方の端部が右側の側面板８の内側面に連結されている。図示の態様では、３本の横材８７が設けてあり、第１横材８７は前縁８０２の上端部位、第２横材８７は前縁８０２の下端部位、第３横材８７は下縁８００の中間部位に連結されている。
【００２５】
図７に示すように、正面板９は、正面板９の両端部から正面板９に対して垂直に後方に向かって延びる左右の側面９０、９１を備えた平面視コ字形状の部材９´からなり、横長方形状の側面９０、９１（正面板９と同じ高さ）を側面板８の面部８０の下半部の外側に連結することで、軒天ケース７が形成されている。本実施形態では、部材９´の側面９０、９１の下片９００、９１０が側面板８の下片８１に下側から重なるようになっている。図示の態様では、２枚の側面板８、平面視コ字形状の部材９´、２枚の側面板８間を連結する複数本の横材８７から軒天ケース組立体が形成されており、強度的に強固な構造の軒天ケース７が得られる。図示の態様では、軒天ケース７の左右の側面部は、左右の側面板８と部材９´の側面９０、９１の２部材から構成されているが、左右の側面部を１部材から形成してもよい。図示の態様では、正面板９を平面視コ字形状の部材９´の部分から形成したが、平面板９をどのように形成するかは当業者によって適宜設計し得る事項であり、例えば、側面板の前端に折り曲げ部を形成して、当該折り曲げ部に正面板を連結するようにしてもよく、あるいは、側面板と正面板を同じ板材から一体的に折り曲げ形成してもよい。
【００２６】
軒天ケース７の先端側部位（外壁Ｗから離間する側）の底面には、下面板１０が着脱可能に取り付けられている。下面板１０は、螺子によって、軒天ケース７（部材９´の下端、長尺材８７）に取り付けられている。図１を参照して説明すると、軒天ケース７の下面板１０を取り外すことによって、開閉機Ｍや巻取シャフト５へのアクセスが可能となり、窓シャッターのメンテナンスを行うことができる。
【００２７】
軒天ケース７の取り付けについて説明する。窓シャッターのブラケット３が外壁Ｗに取り付けられた状態で、ブラケット３の面部３０の下端の外側に位置して、ガイドレール下地枠４０の上端面４００（図９に示す）の一部が露出しており、当該露出面が、軒天ケース７の側面部の下端（側面板８の下片８１、側面９０、９１の下片９００、９１０）が載る支持面となっている。
【００２８】
図１１に示すように、軒天ケース７を、後端側を上方、先端側を下方にして斜めにして、左右の側面部（左右の側面板８＋側面９０、９１）を左右のブラケット３の外側に位置させ、左右の側面部の下端をガイドレール下地枠４０の上端面４００の前方側に当接させ、斜め下から押し上げるように、先端側を上方に持ち上げて、軒天ケース７を水平にして、第１上片８４に形成された角孔状の係止孔８６をブラケット３の係止突起３５に上方から落とし込んで係止させることで、軒天ケース７の仮止めが可能となる。
【００２９】
軒天ケース７の係止孔８６とブラケット３の係止突起３５の係止状態において、係止孔８６と係止突起３５のクリアランスは小さく、予め決められた所定の位置に係止孔８６、係止突起３５を形成しておくことで、軒天ケース７の左右の側面部を左右のブラケット３にそれぞれ係止させて係止状態を得ると同時に左右方向の位置決めが行われる。
【００３０】
軒天ケース７の係止孔８６とブラケット３の係止突起３５の係止状態において、ガイドレール下地枠４０の上端面４００の前端側を基点として軒天ケース７の先端側が下方に回動しようとした時には、係止突起３５の立ち上がり状の垂直片３５０の躯体側の後縁３５００に係止孔３６の躯体側の後縁８６０が接触することで、軒天ケース７の先端側の下方への回動が規制される。
【００３１】
このように、軒天ケース７は、左側の側面部の係止孔８６が左側のブラケット３の係止突起３５に係止し、右側の側面部の係止孔８６が右側のブラケット３の係止突起３５に係止し、左右の側面板８の下端を左右のガイドレール下地枠４０の上端面４００に載せた状態で位置決め・仮固定される。この位置決め・仮固定の作業は一人の作業者で行うことができる。
【００３２】
軒天ケース７を位置決め・仮固定した状態において、左右の側面板８の後片８２は、左右のブラケット３の後片３１の外側に位置して外壁Ｗに当接しており、螺子Ｓ３で後片８２を外壁Ｗに固定することで、軒天ケース７が建物躯体に取り付けられる。位置決め・仮固定された軒天ケース７の外壁Ｗへの取り付けは一人の作業者で行うことができる。
【００３３】
図１、図１１に示すように、軒天ケース７の高さ寸法はブラケット３の高さ寸法よりも小さく、軒天ケース７をブラケット３に仮止めするための空間が小さくて済む。軒天ケース７の上縁はブラケット３の上縁から上方に突出することがなく、軒天ケース７の上縁がブラケット３の上縁と同等あるいはそれより上方に突出する場合に比べて、ブラケット３の取付位置を上方に位置させることができ、もって、窓部の開口高を大きくとることができる。
【符号の説明】
【００３４】
２  軒
３  ブラケット
３５  係止突起
４０  ガイドレール下地枠
５  巻取シャフト
７  軒天ケース
８  側面板
８２  後片
８４  第１上片
８６  係止孔
９  正面板
９´  部材
９０  側面
９１  側面
【図１】
2015108224.tif 000003
【図２】
2015108224.tif 000004
【図３】
2015108224.tif 000005
【図４】
2015108224.tif 000006
【図５】
2015108224.tif 000007
【図６】
2015108224.tif 000008
【図７】
2015108224.tif 000009
【図８】
2015108224.tif 000010
【図９】
2015108224.tif 000011
【図１０】
2015108224.tif 000012
【図１１】
2015108224.tif 000013
【図１２】
2015108224.tif 000014